(57)【要約】【課題】シャッタケースの側面にサイドキャップを着脱する作業を容易にかつ確実に行え、かつ意匠性にも優れたシャッタ装置を提供する。【解決手段】一対のガイドレールとシャッタケースとシャッタカーテンとを備え、シャッタケースはケース本体（サイドブラケット４１）と一対のサイドキャップ３１と固定部５とを有するシャッタ装置であって、固定部５は、頭部５１１及び頭部５１１よりも小径の軸部５１２からなる軸部材５１と、サイドキャップ３１に設けられ軸部材５１の軸部５１２が挿入されかつ挿入後に軸線方向に移動可能な軸孔５２と、ケース本体（サイドブラケット４１）に設けられ軸孔５２に挿入された軸部材５１を軸線方向と直角な側面方向から受け容れる受容部（待ち受け部材５３）と、ケース本体に設けられ受容部に受け容れられた後に軸孔５２の軸線方向に移動した軸部材５１の離脱を規制する規制部（待ち受け部材５３の垂直部５３２）と、を有する。【選択図】図６
2014145170.tif 000002
【特許請求の範囲】
【請求項１】
離隔平行して立設された一対のガイドレールと、前記一対のガイドレールの上端側に配設されて内部に収容室が形成されたシャッタケースと、前記収容室内に収容されて開状態となり前記一対のガイドレールに案内されつつ延出されて閉状態となるシャッタカーテンとを備え、前記シャッタケースは、
躯体に取り付けられ、前記収容室を形成して前記シャッタカーテンを延出可能に保持し、両側の側面の上端部にそれぞれ支持部をもつケース本体と、
前記ケース本体の前記支持部に揺動可能に吊り下げ支持される被支持部をもち、前記ケース本体の側面の取付位置に取り付けられる左右一対のサイドキャップと、
前記サイドキャップを前記取付位置に固定取り付けする固定部と、を有するシャッタ装置であって、
前記固定部は、
頭部及び前記頭部よりも小径の軸部からなる軸部材と、
前記ケース本体及び前記サイドキャップの一方に設けられ、前記軸部材の前記軸部が挿入されかつ挿入後に軸線方向に移動可能な軸孔と、
前記ケース本体及び前記サイドキャップの他方に設けられ、前記被支持部が前記支持部に支持されて前記サイドキャップが前記取付位置まで揺動するときに、前記軸孔に挿入された軸部材を前記軸線方向と直角な側面方向から受け容れる受容部と、
前記他方に設けられ、前記受容部に受け容れられた後に前記軸孔の前記軸線方向に移動した軸部材の離脱を規制する規制部と、を有するシャッタ装置。
【請求項２】
前記ケース本体は、前記支持部をもつとともに前記軸孔あるいは前記受容部及び前記規制部を有するサイドブラケットを前記両側の側面にそれぞれ有する請求項１に記載のシャッタ装置。
【請求項３】
前記軸孔は、内周に雌ねじを有して前記取付位置で上下方向に配置され、前記軸部材は、前記軸部の外周に雄ねじを有し前記軸孔に下方から挿入されて前記雌ねじに螺合し、前記軸線方向に螺進して移動する請求項１または２に記載のシャッタ装置。
【請求項４】
前記軸部材の前記軸部は、前記軸孔から脱落せず常に挿入状態とされている請求項１〜３のいずれか一項に記載のシャッタ装置。
【請求項５】
前記受容部及び前記規制部は、前記軸部材の前記軸部の外径よりも広幅で前記頭部の外径よりも狭幅のスロットを有して屈曲された板状の待ち受け部材により一体的に形成されている請求項１〜４のいずれか一項に記載のシャッタ装置。
【発明の詳細な説明】
【技術分野】
【０００１】
本発明はシャッタ装置に関し、より詳細には、シャッタカーテンを収容するシャッタケースの両側面に取り付けられるサイドキャップの取付構造に関する。
【背景技術】
【０００２】
シャッタケースの収容室内に筒状の巻取体を回転可能に支承し、モータにより巻取体を回転駆動してシャッタカーテンの巻き下ろし及び巻き上げを行うシャッタ装置が従来から知られている。この種のシャッタ装置では、設置箇所で取り付けの施工作業を行い、メンテナンスも設置箇所で行う。したがって、シャッタ装置は、容易にかつ確実に取り付けられるとともに、メンテナンスの必要な箇所は容易に着脱できることが必要である。加えて、意匠性、換言すると外見的な美観にも優れていることが好ましい。このようなシャッタ装置の構成例が特許文献１及び特許文献２に開示されている。
【０００３】
特許文献１のシャッタで、シャッタケースは、左右のサイドキャップとルーフ板と前面板と左右のサイドブラケットとを備えている。そして、前面板の上端部分は、ルーフ板の前端部分に上下回動自在で、かつ着脱可能に取り付けられる。また、前面板の左右両端寄りと左右のサイドキャップまたはサイドブラケットとは、凸ガイド部品と凹ガイド部品とが相互に嵌まり合って取り付けられる。これにより、前面板の左右両端部と左右のサイドキャップとの間に大きな隙間が生じることがないように、前面板を簡単に取付けできる、と記載されている。さらに、実施形態には、サイドキャップが外側プレート、内側プレート、及び支持片の３部材からなり、内側プレートの上部取付部及び中間取付部の２箇所がビスでサイドブラケットに固着される旨が記載されている。
【０００４】
また、特許文献２のシャッタケースは、上面部を構成する上板と、正面部及び下面部を構成する下板とを有している。さらに、実施形態には、シャッタケースの側面にブラケット及びサイドカバー（サイドキャップに相当）を配置し、化粧螺子を用いてサイドカバーをブラケットに固定する旨が記載されている。
【先行技術文献】
【特許文献】
【０００５】
【特許文献１】特開２００３−１６６３８４号公報
【特許文献２】特開平１０−２８０８３４号公報
【発明の概要】
【発明が解決しようとする課題】
【０００６】
ところで、特許文献１の技術例では、サイドキャップの取り付けに２箇所のビス止めが必要であり、しかも高所に設置するシャッタケースの前方及び斜め上方からビスを差し込むので、取り付け作業性が良好でない。例えば、ビスをビス穴に合わせ込むのに手間取ったり、高所作業用の梯子を用いてビス止め作業する必要が生じたりする。特許文献２の技術例では、サイドカバーの取り付けは１本の化粧螺子で行えるが、差し込み方向は側方であり、やはり取り付け作業性は良好でない。また、常に化粧螺子及びその周囲のサイドカバーキャップが見えており、意匠性が低下している。さらに、両方の技術例に共通して、サイドキャップの取り付け作業の途中でビスや化粧螺子を誤って落下させたり、紛失したりするおそれもある。
【０００７】
本発明は上記背景技術の問題点に鑑みてなされたものであり、シャッタケースの側面にサイドキャップを着脱する作業を容易にかつ確実に行え、かつ意匠性にも優れたシャッタ装置を提供することを解決すべき課題とする。
【課題を解決するための手段】
【０００８】
本発明のシャッタ装置は、離隔平行して立設された一対のガイドレールと、前記一対のガイドレールの上端側に配設されて内部に収容室が形成されたシャッタケースと、前記収容室内に収容されて開状態となり前記一対のガイドレールに案内されつつ延出されて閉状態となるシャッタカーテンとを備え、前記シャッタケースは、躯体に取り付けられ、前記収容室を形成して前記シャッタカーテンを延出可能に保持し、両側の側面の上端部にそれぞれ支持部をもつケース本体と、前記ケース本体の前記支持部に揺動可能に吊り下げ支持される被支持部をもち、前記ケース本体の側面の取付位置に取り付けられる左右一対のサイドキャップと、前記サイドキャップを前記取付位置に固定取り付けする固定部と、を有するシャッタ装置であって、前記固定部は、頭部及び前記頭部よりも小径の軸部からなる軸部材と、前記ケース本体及び前記サイドキャップの一方に設けられ、前記軸部材の前記軸部が挿入されかつ挿入後に軸線方向に移動可能な軸孔と、前記ケース本体及び前記サイドキャップの他方に設けられ、前記被支持部が前記支持部に支持されて前記サイドキャップが前記取付位置まで揺動するときに、前記軸孔に挿入された軸部材を前記軸線方向と直角な側面方向から受け容れる受容部と、前記他方に設けられ、前記受容部に受け容れられた後に前記軸孔の前記軸線方向に移動した軸部材の離脱を規制する規制部と、を有する。
【０００９】
また、前記ケース本体は、前記支持部をもつとともに前記軸孔あるいは前記受容部及び前記規制部を有するサイドブラケットを前記両側の側面にそれぞれ有していてもよい。
【００１０】
さらに、前記軸孔は、内周に雌ねじを有して前記取付位置で上下方向に配置され、前記軸部材は、前記軸部の外周に雄ねじを有し前記軸孔に下方から挿入されて前記雌ねじに螺合し、前記軸線方向に螺進して移動することが好ましい。
【００１１】
さらに、前記軸部材の前記軸部は、前記軸孔から脱落せず常に挿入状態とされていることが好ましい。
【００１２】
さらに、前記受容部及び前記規制部は、前記軸部材の前記軸部の外径よりも広幅で前記頭部の外径よりも狭幅のスロットを有して屈曲された板状の待ち受け部材により一体的に形成されていることが好ましい。
【発明の効果】
【００１３】
本発明のシャッタ装置では、サイドキャップの被支持部をケース本体の支持部に係合させると、サイドキャップは吊り下げ支持されて取付位置まで揺動する。このとき、あらかじめ軸部材の軸部を脱落しない程度に軸孔に挿入しておけば、軸部材は受容部に受け容れられる。その後、軸部材を軸線方向に移動させると、規制部が軸部材の離脱を規制するので、サイドキャップの取り付けが終了する。つまり、作業者が行う取り付け作業は、被支持部を支持部に係合させる作業と、軸部材を軸線方向に移動させる作業のふたつで済み、サイドキャップの取り付け作業が極めて容易にかつ確実に行える。また、逆の手順を踏めば、サイドキャップの取り外し作業が極めて容易にかつ確実に行える。
【００１４】
加えて、軸部材、軸孔、受容部、及び規制部は、ケース本体の側面やサイドキャップの内面に配置できてサイドキャップに隠されるので、シャッタケースの外見的な美観を向上でき意匠性に優れる。さらに、低所であらかじめ軸部材を軸孔に挿入しておけるので、高所で軸部材を軸孔に合わせ込む煩わしい作業が不要になり、取り付け作業がさらに一層容易でかつ確実になる。
【００１５】
また、ケース本体がサイドブラケットを有する態様では、サイドブラケットに対してサイドキャップを極めて容易にかつ確実に着脱することができる。
【００１６】
さらに、軸孔が雌ねじを有して上下方向に配置され、軸部材が雄ねじを有して軸孔に下方から挿入される態様では、軸部材を下方から回転駆動して取り付け作業を行うので、高所作業の負担が軽減される。
【００１７】
さらに、軸部材の軸部が軸孔に常に挿入状態とされている態様では、軸部材を誤って落下させたり、紛失したりするおそれがない。
【００１８】
さらに、受容部及び規制部が待ち受け部材により一体的に形成されている態様では、簡素な部材構成であってもサイドキャップを確実に着脱することができ、固定部の製造コストを低減できる。
【図面の簡単な説明】
【００１９】
【図１】本発明の実施形態のシャッタ装置の全体構成を示す正面図である。
【図２】シャッタケースの構造を示した斜視図である。
【図３】サイドキャップに形成された軸孔を示す斜視図である。
【図４】サイドキャップの軸孔に挿入された軸部材を示す斜視図である。
【図５】サイドブラケットに設けられた待ち受け部材を示す斜視図である。
【図６】サイドキャップの被支持部がサイドブラケットの支持部に支持されて、サイドキャップが取付位置に向かって揺動する状況を示す固定部の正面拡大図である。
【図７】サイドキャップが取付位置まで揺動した状況を示す固定部の正面拡大図である。
【図８】サイドキャップの取り付けが終了した状況を示す固定部の正面拡大図である。
【発明を実施するための形態】
【００２０】
本発明を実施するための実施形態のシャッタ装置１について、図１〜図８を参考にして説明する。図１は、本発明の実施形態のシャッタ装置１の全体構成を示す正面図である。シャッタ装置１は、建築物の出入口などを開閉する目的で設けられる。シャッタ装置１は、一対のガイドレール９１、シャッタケース９２、及びシャッタカーテン９６などで構成されている。図1には、シャッタカーテン９６の延出された閉状態が例示されている。
【００２１】
一対のガイドレール９１は、出入口などの開口の幅方向の左右両側に離隔平行して立設されている。一対のガイドレール９１の上端に架け渡されるように、箱形のシャッタケース９２が配設される。シャッタケース９２の内部には、シャッタカーテン９６を収容するための収容室９３が形成され、かつシャッタカーテン９６を巻き取る巻取体９４が配置されている。一対のガイドレール９１の下端を連結するように、下枠９５が設けられている。以上の構成により、矩形のシャッタ開口が形成される。
【００２２】
シャッタカーテン９６は、収容室９３から延出可能であり、一対のガイドレール９１に案内されてシャッタ開口を開閉できるように配設されている。シャッタカーテン９６は、横に長い矩形帯状のスラット９７が複数個上下に連結されて構成されている。シャッタカーテン９６は、下端のスラット９７Ａの下側に座板９８を有している。座板９８は、シャッタカーテン９６の下枠９５への着地を安定化する。シャッタカーテン９６の上端のスラット９７Ｂは、巻取体９４に係止されている。個々のスラット９７は、開閉可能とされてブラインド機能が付与されている。
【００２３】
シャッタケース９２は、ケース本体２、左右一対のサイドキャップ３１、３２、及びサイドキャップ３１、３２をケース本体２のサイドブラケット４１、４２に固定取り付けする固定部５と、を有する。ケース本体２が設置箇所に設置施工された後で、サイドキャップ３１、３２はサイドブラケット４１、４２に取り付けられる。図２は、シャッタケース９２の構造を示した斜視図であり、巻取体９４などの内部の部材は図示省略されている。図２で、左側のサイドキャップ３１は、左側のサイドブラケット４１から取り外されており、右側のサイドキャップ３２は、図２には見えない右側のサイドブラケット４２に固定取り付けされている。
【００２４】
図１及び図２に示されるように、ケース本体２は、左右一対のサイドブラケット４１、４２及びケースカバー２１で構成されている。サイドブラケット４１、４２は、巻取体９４を支承する支承部や電動駆動装置９９を固定する取り付け座、後で詳述する固定部５の一部などが設けられた略板状の部材である。サイドブラケット４１、４２は、プレス機を用いてケース板材に打ち抜き抜き加工及び曲げ加工が施されて形成される。サイドブラケット４１、４２は、図１の紙面奥側の壁面などの躯体に直接的に固定取り付けされ、あるいは台座部材を介して間接的に固定取り付けされる。左右のサイドブラケット４１、４２は、それぞれ左右のガイドレール９１の上側に配置され、互いに離隔し平行している。
【００２５】
左右のサイドブラケット４１、４２は、互いに対称形状であり、以降では左側のサイドブラケット４１を例にして詳述する。サイドブラケット４１の上縁は、シャッタ装置１の中心方向に向かって折り曲げられ、上縁鍔部４１１が形成されている（図２示）。上縁鍔部４１１の２箇所には、矩形状の穴で形成された支持部４１４、４１５が設けられている。
【００２６】
ケースカバー２１は、シャッタケース９２の天板および前板に相当する。ケースカバー２１は、シャッタカーテン９６の幅寸法よりも広い矩形の薄板が水平方向から垂直方向へと折り曲げて形成されている。ケースカバー２１の幅方向の両縁は、左右のサイドブラケット４１、４２の上縁から前縁にかけて取り付けられている。ケースカバー２１及び左右一対のサイドブラケット４１、４２により、前述した収容室９３が区画形成され、シャッタカーテン９６が延出可能に保持される。
【００２７】
巻取体９４は、収容室９３内に配設され、左右のサイドブラケット４１、４２により軸線ＡＸ周りに回転可能に支承されている。巻取体９４は、外周面にシャッタカーテン９６を巻き取ることができるようになっている。
【００２８】
電動駆動装置９９は、巻取体９４の筒状の内部空間に配置されており、図１の左側の一端がサイドブラケット４１に固定されている。電動駆動装置９９は、正転及び反転の切り替えが可能な駆動モータ９Ａを有している。駆動モータ９Ａの出力軸に設けられた回転伝達部材９Ｂは、巻取体９４の内周を回転駆動する。駆動モータ９Ａが正転すると、巻取体９４が正転駆動され、シャッタカーテン９６が収容室９３から延出される。また、駆動モータ９Ａが反転すると、巻取体９４が反転駆動され、シャッタカーテン９６は巻き上げられて収容室９３に収容される。図１及び図２には省略されているが、電動駆動装置９９に電源を供給する電源線やその他の制御線は、サイドブラケット４１の外側の空間を利用して配索されている。
【００２９】
左右一対のサイドキャップ３１、３２は、略矩形状の蓋部材であり、サイドブラケット４１、４２の外側の取付位置に取り付けられる。左右のサイドキャップ３１、３２は、互いに対称形状であり、以降では左側のサイドキャップ３１を例にして詳述する。サイドキャップ３１の上縁、前縁、及び後縁は、それぞれ折り曲げられて上縁鍔部３１１、前縁鍔部３１２、及び後縁鍔部３１３が形成されている（図２示）。サイドキャップ３１は、矩形の３辺に鍔部３１１、３１２、３１３を有することでサイドブラケット４１を覆い、電動駆動装置９９の端面や電源線及び制御線の配索箇所を保護する。さらに、サイドキャップ３１は、外見的な美観を向上する役割も担っている。
【００３０】
サイドキャップ３１の上縁鍔部３１１の２箇所には、下向きに折り曲げられて形成された爪状の被支持部３１４、３１５が設けられている。図２に破線矢印Ｒ１、Ｒ２で示されるように、被支持部３１４、３１５は、サイドブラケット４１の上縁鍔部４１１の支持部４１４、４１５に係入されるようになっている。これにより、サイドキャップ３１は、サイドブラケット４１から吊り下げられて支持され、取付位置まで揺動する。
【００３１】
固定部５は、図２に破線矢印Ｒ３で示されるように、サイドキャップ３１をサイドブラケット４１に固定する部位である。固定部５は、サイドキャップ３１及びサイドブラケット４１の下部の前側寄りに配設されている。固定部５は、軸部材５１、軸孔５２、及び待ち受け部材５３により構成されている。固定部５の構造は、シャッタケース９２の左右両側で同じなので、以降では図１の左側の固定部５について詳述する。図３は、サイドキャップ３１に形成された軸孔５２を示す斜視図である。図４は、サイドキャップ３１の軸孔５２に挿入された軸部材５１を示す斜視図である。図５は、サイドブラケット４１に設けられた待ち受け部材５３を示す斜視図である。
【００３２】
軸孔５２は、図２に示されるように、サイドキャップ３１の下部の前側寄りのサイドブラケット４１に対向する内面に設けられており、以下に詳述する。図３に示されるように、サイドキャップ３１の内面からハ字状に延びた２つの腕部材５２１、５２２が合一する箇所に、筒部材５２３が保持されている。筒部材５２３は、サイドキャップ３１の内面から離れて保持され、軸線ＡＹが内面に平行して上下方向に延在している。この筒部材５２３の軸心を軸線ＡＹ方向に貫いて、軸孔５２が穿設されている。軸孔５２は、内周に図略の雌ねじを有している。
【００３３】
軸部材５１は、図４に示されるように、頭部５１１及び軸部５１２からなるねじ部材である。軸部５１２は、その外周に図略の雄ねじを有して、軸孔５２の雌ねじと螺合するようになっている。頭部５１１は、軸部５１２よりも大径であり、一般的なプラスドライバやマイナスドライバで回転駆動される形状とすることができる。なお、頭部５１１の回転駆動形状は、スパナで回転駆動される六角形状やその他の形状であってもよい。軸部材５１の軸部５１２は、サイドキャップ３１の軸孔５２に下方から挿入されて軸線ＡＹ方向に螺進し、軸部材５１の全体が上方に移動する。
【００３４】
軸部材５１が軸孔５２に螺合して上昇した後、図４に示されるように、軸孔５２の上方に突き抜けた軸部５１２の周囲にＣリング５１３が嵌め込まれる。Ｃリング５１３は、軸部５１２と一体的に回転し、軸孔５２には入り込めない。Ｃリング５１３の嵌め込み作業は、設置箇所でなく、あらかじめ製造工場で行うことができる。また、Ｃリング５１３の嵌め込み作業を設置箇所で行う場合でも、あらかじめ低所で実施しておくことができる。Ｃリング５１３の嵌め込み位置は、後述する待ち受け部材５３との高さ関係から適宜設定される。Ｃリング５１３により、軸部材５１の軸部５１２は、軸孔５２から脱落せず常に挿入状態とされている。図３は、軸部５１２が軸孔５２の限度まで螺退して、Ｃリング５１３が筒部材５２３の上面に当接した状態を例示している。軸部材５１は、これ以上は下降しない。
【００３５】
待ち受け部材５３は、図２に示されるように、サイドブラケット４１の下端の前側寄りに、サイドキャップ４１に向かって設けられており、以下に詳述する。図５に示されるように、待ち受け部材５３は板状であり、サイドブラケット４１の下端から延出した水平部５３１、及び途中から下向きに屈曲された垂直部５３２により構成されている。さらに、水平部５３１から垂直部５３２にわたって、溝幅Ａのスロット５３３が形成されている。溝幅Ａは、軸部材５１の軸部５１２の外径よりも広幅で頭部５１１の外径よりも狭幅とされている。
【００３６】
待ち受け部材５３のスロット５３３は、軸孔５２に挿入された軸部材５１を軸線ＡＹ方向と直角な側面方向から受け容れる本発明の受容部に相当する。また、待ち受け部材５３の垂直部５３２は、受容部に受け容れられた後に軸孔５２の軸線ＡＹ方向に移動した軸部材５１の頭部５１１の離脱を規制する規制部に相当する。
【００３７】
次に、上述のように構成された実施形態のシャッタ装置１におけるサイドキャップ３１の取り付け方法について説明する。図６は、サイドキャップ３１の被支持部３１４、３１５がサイドブラケット４１の支持部４１４、４１５に支持されて、サイドキャップ３１が取付位置に向かって揺動する状況を示す固定部５の正面拡大図である。図７は、サイドキャップ３１が取付位置まで揺動した状況を示す固定部５の正面拡大図である。図８は、サイドキャップ３１の取り付けが終了した状況を示す固定部５の正面拡大図である。
【００３８】
作業者は、まずサイドキャップ３１を見て、軸部材５１が軸孔５２から螺退して下降していることを確認する。作業者は、次にサイドキャップ３１の被支持部３１４、３１５をサイドブラケット４１の支持部４１４、４１５に係合させ、サイドキャップ３１を吊り下げる。すると、図６に破線矢印Ｒ４で示されるように、サイドキャップ３１は自重の作用で自動的に揺動し、図７に示される取り付け位置まで到達にする。このとき、軸部材５１が十分に下降しているので、頭部５１１は待ち受け部材５３の垂直部５３２の下を通過し、軸部５１２はスロット５３３を通り抜ける。
【００３９】
仮に、軸部材５１が十分に下降していないと、頭部５１１が待ち受け部材５３の垂直部５３２に当接して、サイドキャップ３１は取り付け位置に到達できない。この場合、作業者は、下方からの作業により軸部材５１の頭部５１１を螺退方向に回転駆動して軸部材５１を十分に下降させればよい。
【００４０】
図７の状況で、作業者は、下方からの作業により軸部材５１の頭部５１１を螺進方向に回転駆動する。すると、軸部材５１は、図７に破線矢印Ｒ５で示されるように、軸孔５２内を上昇し、図８の状況になる。図８で、軸部材５１の頭部５１１は、待ち受け部材５３の水平部５３１の下面に当接または接近し、垂直部５３２と略同じ高さになる。そして、垂直部５３２のスロット５３３の溝幅Ａは頭部５１１の外径よりも狭幅であるので、垂直部５３２は頭部５１１の離脱を規制する。これにより、サイドキャップ３１の取り付けが終了する。
【００４１】
また、メンテナンスなどでサイドキャップ３１を取り外す場合には、取り付けと逆の手順を踏めばよい。すなわち、作業者は、図８の取り付け状態で、まず下方からの作業により、軸部材５１の頭部５１１を螺退方向に回転駆動して、軸部材５１の頭部５１１を待ち受け部材５３の垂直部５３２よりも下降させる。これにより、軸部材５１がスロット５３３を通過できるようになる。作業者は、次にサイドキャップ３１を揺動させながら持ち上げ、被支持部３１４、３１５を支持部４１４，４１５から外して、取り外し作業が終了する。
【００４２】
実施形態のシャッタ装置１によれば、作業者が行う取り付け作業は、被支持部３１４、３１５を支持部４１４，４１５に係合させる作業と、取付位置で軸部材５１を回転駆動して軸線ＡＹ方向に移動させる作業のふたつで済む。したがって、サイドブラケット４１へのサイドキャップ３１の取り付け作業が極めて容易にかつ確実に行える。また、逆の手順を踏めば、サイドキャップ３１の取り外し作業が極めて容易にかつ確実に行える。
【００４３】
さらに、軸部材５１を軸孔５２に挿入して軸部５１２にＣリング５１３を嵌め込む作業は、あらかじめ製造工場で実施でき、あるいは設置箇所でも低所で実施できる。したがって、高所で軸部材５１を軸孔５２に合わせ込む煩わしい作業が不要になり、取り付け作業がさらに一層容易でかつ確実になる。さらに、軸部材５１の軸部５１２は、軸孔５２に挿入されてＣリング５１３により脱落が防止されている。したがって、作業者は、軸部材５１を誤って落下させたり、紛失したりするおそれがない。また、作業者は、軸部材５１を下方から回転駆動して取り付け作業を行うので、高所作業の負担が軽減される。
【００４４】
加えて、軸部材５１、軸孔５２、及び待ち受け部材５３は、サイドキャップ３１に隠されるので外部から目視されない。したがって、シャッタケース９２の外見的な美観を向上でき、意匠性に優れる。さらに、待ち受け部材５３により受容部及び規制部を一体的に形成できる。したがって、簡素な部材構成であってもサイドキャップ３１を確実に着脱することができ、固定部５の製造コストを低減できる。
【００４５】
なお、実施形態とは逆に、サイドキャップ３１に待ち受け部材５３を設け、サイドブラケット４１に軸孔５２及び軸部材５１を設けても、同様の作用及び効果が生じる。また、本発明の固定部５の構成は、サイドキャップ３１の固定方法に限定されず、例えば、ケースカバー２１の下縁の固定方法にも応用できる。本発明は、その他にも様々な応用や変形が可能である。
【符号の説明】
【００４６】
１：シャッタ装置
２：ケース本体    ２１：ケースカバー
３１、３２：サイドキャップ
３１１：上縁鍔部    ３１２：前縁鍔部    ３１３：後縁鍔部
３１４、３１５：被支持部
４１、４２：サイドブラケット
４１１：上縁鍔部    ４１４、４１５：支持部
５：固定部
５１：軸部材    ５１１：頭部    ５１２：軸部    ５１３：Ｃリング
５２：軸孔    ５２１、５２２：腕部材    ５２３：筒部材
５３：待ち受け部材    ５３１：水平部    ５３２：垂直部    ５３３：スロット
９１：ガイドレール    ９２：シャッタケース    ９６：シャッタカーテン
【図１】
2014145170.tif 000003
【図２】
2014145170.tif 000004
【図３】
2014145170.tif 000005
【図４】
2014145170.tif 000006
【図５】
2014145170.tif 000007
【図６】
2014145170.tif 000008
【図７】
2014145170.tif 000009
【図８】
2014145170.tif 000010